(57)【要約】【課題】小物チューブ品や中物チューブ品や中物ボトル品を効率良く整然と収納できる冷蔵庫を提供する。【解決手段】冷蔵庫の扉１の内面に中物品用ポケット２０が設けられている。ポケット２０の外形を構成する箱体２１は、扉１から離れた側の手前領域Ａ１と、扉１に近い側の奥領域Ａ２とに区分けされ、奥領域Ａ２での底が開口している。その開口２１ａを開閉する板状部材２３を設け、開口２１ａの下方で開口２１ａと対向する対向部材２４を設ける。中物チューブ品３等を収納しようとする場合、板状部材２３を移動させて開口２１ａを開き、中物チューブ品３等をその開いた開口２１ａ内に上方から挿し込む。これにより、中物チューブ品３等は、その下端が対向部材２４で支持されながら、立てた状態で収納される。【選択図】図７
2007147202.tif 000002
【特許請求の範囲】
【請求項１】
貯蔵室を前面より開閉する扉の内面に貯蔵物を収納するポケットが設けられた冷蔵庫において、
前記ポケットは、前記扉から離れた側の手前領域と、前記扉に近い側の奥領域とに区分けされ、前記奥領域での底が開口しており、
その開口を開閉する板状の開閉部材が設けられるとともに、前記開口の下方で前記開口と対向する対向部材が設けられていることを特徴とする冷蔵庫。
【請求項２】
前記開閉部材は、前記扉に近い側の側縁の近傍を支軸として前記ポケットに対し回動可能に支持されていることを特徴とする請求項１に記載の冷蔵庫。
【請求項３】
前記開閉部材が、水平姿勢で前記開口を閉じ、回動して起立した姿勢で前記開口を開くことを特徴とする請求項２に記載の冷蔵庫。
【請求項４】
前記開閉部材と前記ポケットには、前記開閉部材が起立したときに互いに係合して前記開閉部材の起立姿勢を維持する係止部と被係止部が形成されていることを特徴とする請求項３に記載の冷蔵庫。
【請求項５】
前記開閉部材は、前記開口を閉じた状態で前記ポケットの底から所定高さ分嵩上げ配置され、この開閉部材には、前記貯蔵物としての鶏卵を保持するための円形穴が複数形成されていることを特徴とする請求項１から４のいずれかに記載の冷蔵庫。
【請求項６】
前記貯蔵物としての鶏卵を保持するための円形穴が複数形成された平板部と、この平板部の周縁から突出する側板部と、よりなる卵ホルダが、前記ポケットの前記手前領域内に着脱可能に収容されていることを特徴とする請求項１から５のいずれかに記載の冷蔵庫。
【請求項７】
前記ポケットの左右側面の下隅部にそれぞれ凹部が形成されており、このポケットは、前記各凹部が前記扉の内面から突出する凸部と互いに嵌合することによって前記扉に取り付けられることを特徴とする請求項５又は６に記載の冷蔵庫。
【発明の詳細な説明】
【技術分野】
【０００１】
本発明は、貯蔵室を前面より開閉する扉を備えた冷蔵庫に関し、特に、扉の内面に貯蔵物を収納するポケットが設けられた冷蔵庫に関する。
【背景技術】
【０００２】
図１４に、従来一般の冷蔵庫の扉を示す。扉１は、左側又は右側を支軸として貯蔵室を前面より開閉するものであって、その内面には、貯蔵物を収納するための複数のポケット１０、１２０、３０が設けられている（例えば、特許文献１参照）。
【０００３】
具体的には、扉１の内面の下部には、ペットボトルやビール瓶等といったように太くて背の高い大物品７を収納するための大物品用ポケット１０が設けられ、その上方である中段には、主として鶏卵５を収納するための中物品用ポケット１２０が設けられる（図１４では左右に２つ並べて設けられたものを図示）。特に、その中物品用ポケット１２０内には卵ホルダ１２２が収容されており、この卵ホルダ１２２に形成されている複数の円形穴１２２ｃに鶏卵５をそれぞれ載せて保持できる。扉１の内面の上部には、小物品を収納するためのカバー付きの小物品用ポケット３０が設けられる。
【０００４】
ここで、ねりわさびやねりからし等の入った小物チューブ品２は、細長で小さいことから、中物品用ポケット１２０や小物品用ポケット３０内に横倒しされて乱雑に収納されることが多い。但しこの場合は、中物品用ポケット１２０や小物品用ポケット３０内のスペースが、横倒しされた小物チューブ品２に大きく占められるため、そのスペースを有効に確保すべく、専用の小物チューブ品用ポケット１４０を中物品用ポケット１２０の手前に取り付け、その小物チューブ品用ポケット１４０内に小物チューブ品２を立てて収納することもある。このようにすれば、小物チューブ品２を効率良く整然と収納できる。
【０００５】
また、マヨネーズやケチャップ等の入った中物チューブ品３は、大物品７と比べては短いが、ある程度太くて長いことから、大物品用ポケット１０内に立てた状態又は横倒しされた状態で収納されたり、中物品用ポケット１２０内に横倒しされて収納されたりすることが多い。なお、中物チューブ品３は、内容量が減ってくるとそれ自体では形状が特に不安定であるため、横倒しで収納されることが多くなる。
【０００６】
また、ドレッシングやソース等の入った中物ボトル品４は、大物品７と比べては背が低いものの、ある程度背が高くて形状が安定していることから、大物品用ポケット１０内に立てて収納されることが多い。
【特許文献１】特開２００３−２４０４２５号公報
【発明の開示】
【発明が解決しようとする課題】
【０００７】
しかし、上記したような冷蔵庫の扉１では、小物チューブ品２や中物チューブ品３が中物品用ポケット１２０内に横倒しで乱雑に収納されると、中物品用ポケット１２０内の有効スペースが著しく減ってしまう。また、中物チューブ品３や中物ボトル品４が大物品用ポケット１０内に収納されると、大物品７が収納されるべき大物品用ポケット１０内の有効スペースが減ってしまう。横倒しで中物チューブ品３が収納されるとなおさらである。
【０００８】
従って、小物チューブ品２や中物チューブ品３や中物ボトル品４については、効率良く整然と収納できるとは決して言えない。なお、小物チューブ品２についての効率の良い整然とした収納は、小物チューブ品用ポケット１４０によって一応は実現できるが、その小物チューブ品用ポケット１４０が中物品用ポケット１２０の手前に取り付けられるため、その下方に存在する大物品用ポケット１０に対しての大物品７の出し入れがし難くなるし、小物チューブ品用ポケット１４０の存在する分、貯蔵室の有効スペースが減ってしまうという欠点がある。
【０００９】
そこで本発明は、上記の問題に鑑みてなされたものであり、小物チューブ品や中物チューブ品や中物ボトル品を効率良く整然と収納できる冷蔵庫を提供することを目的とするものである。
【課題を解決するための手段】
【００１０】
上記目的を達成するため、本発明による冷蔵庫は、貯蔵室を前面より開閉する扉の内面に貯蔵物を収納するポケットが設けられた冷蔵庫において、前記ポケットは、前記扉から離れた側の手前領域と、前記扉に近い側の奥領域とに区分けされ、前記奥領域での底が開口しており、その開口を開閉する板状の開閉部材が設けられるとともに、前記開口の下方で前記開口と対向する対向部材が設けられている。
【００１１】
このような構成にすると、小物チューブ品や中物チューブ品や中物ボトル品を収納しようとする場合、開閉部材を移動させてポケットの奥領域の開口を開き、その中物チューブ品等をその開いた開口内に上方から挿し込むことができる。これにより、中物チューブ品等は、その下端が対向部材で支持されながら、立てた状態で収納される。
【発明の効果】
【００１２】
本発明の冷蔵庫によれば、小物チューブ品や中物チューブ品や中物ボトル品を効率良く整然と収納できる。
【発明を実施するための最良の形態】
【００１３】
以下に、本発明の冷蔵庫の一実施形態について図面を参照しながら詳述する。図１は本発明の一実施形態である冷蔵庫の扉を示す斜視図、図２はその冷蔵庫の扉の中物品用ポケットを示す斜視図、図３はその中物品用ポケットの上面図、図４は図３のＡ−Ａ’断面図、図５は図３のＢ−Ｂ断面図、図６は卵ホルダを上下反転させた状態での中物品用ポケットを示す斜視図である。図７はその冷蔵庫での中物チューブ品の収納手順を示す断面図であって、同図（ａ）は収納前の状態を示し、同図（ｂ）は収納中の状態を示し、同図（ｃ）は収納後の状態を示している。図８〜図１１はその冷蔵庫を用いて貯蔵物を収納した一例を示す斜視図である。なお、図中で図１４と同じ名称で同じ機能を果たす部分には同一の符号を付し、重複する説明は適宜省略する。
【００１４】
図１に示すように、扉１の内面には、その下部に大物品用ポケット１０が設けられ、その上方である中段に左右に２つ並べて中物品用ポケット２０が設けられ、その上方である上部に小物品用ポケット３０が設けられている。ここで、図１〜図５に示すように、中物品用ポケット２０は、上面の開口した箱体２１より外形が構成される。その箱体２１は、前後方向での中ほどよりやや扉１寄りを境に前後に区分けされている。つまり、扉１から離れた側の手前領域Ａ１と、扉１に近い側の奥領域Ａ２とに区分けされている（図３参照）。
【００１５】
手前領域Ａ１内には、卵ホルダ２２が収容される。ここでの卵ホルダ２２は、ほぼ矩形の平板部２２ａと、この平板部２２ａの周縁からほぼ直角に折れ曲がって突出する側板部２２ｂとより構成され、平板部２２ａには、鶏卵を保持するための円形穴２２ｃが、２列で左右方向に沿って５個ずつ等間隔に形成されている。この卵ホルダ２２は手前領域Ａ１内に上下反転して収容できる。
【００１６】
例えば、卵ホルダ２２を、図１〜図５に示すように、平板部２２ａを上にして手前領域Ａ１内に取り付けた場合、平板部２２ａが箱体２１（中物品用ポケット２０）の手前領域Ａ１での底から側板部２２ｂの高さ分嵩上げ配置された格好になる。この場合、平板部２２ａに形成されている複数の円形穴２２ｃに鶏卵５をそれぞれ載せて保持できる（図１、図１０及び図１１の左側の中物品用ポケット２０、図８及び図９の左右の中物品用ポケット２０を参照）。つまりこの場合は、卵ホルダ２２は、鶏卵５を保持するという本来の機能を発揮する。
【００１７】
これとは逆に、卵ホルダ２２を、図６に示すように、平板部２２ａを下にして手前領域Ａ１内に取り付けた場合、平板部２２ａが箱体２１の手前領域Ａ１での底上に当接して配置され、側板部２２ｂがその高さ分上方に突出した格好になる。この場合、側板部２２ｂで取り囲まれた平板部２２ａ上に、缶ジュースや缶ビール等といったような比較的背の低い缶品６を立てて収納することができる。（図１０及び図１１の右側の中物品用ポケット２０を参照）。
【００１８】
一方、奥領域Ａ２では、箱体２１の底が開口している（図中の符号「２１ａ」参照）。その開口２１ａの上方には、開口２１ａ全域を覆う概ね矩形の板状部材２３が配置されており、この板状部材２３は、扉１に近い側の側縁の近傍を支軸として箱体２１（中物品用ポケット２０）に対し回動可能に支持されている。具体的には、板状部材２３における扉１に近い側の側縁の近傍には、左右にそれぞれ突出する軸部２３ａが形成され、他方の箱体２１の左右の側面には、それぞれその軸部２３ａを受け入れる半円弧状の軸受凸部２１ｂが形成されており、各軸受凸部２１ｂ内に各軸部２３ａが回動自在に嵌め込まれることにより、板状部材２３が回動可能になっている。こうして、板状部材２３は、水平姿勢で奥領域Ａ２の開口２１ａを閉じ、回動して起立した姿勢でその開口２１ａを開く状態を取り得るようになる。
【００１９】
また、本実施形態での板状部材２３には、鶏卵を保持するための円形穴２３ｂが、左右方向に沿って５個等間隔に形成されている。
【００２０】
また、ここでは、板状部材２３の水平姿勢は、板状部材２３における扉１から離れた側の側縁が、手前領域Ａ１内の卵ホルダ２２の縁上に引っ掛かることで制限される。これにより、板状部材２３は、開口２１ａを閉じた状態で、箱体２１（中物品用ポケット２０）の底から卵ホルダ２２の側板部２２ｂの高さ分嵩上げ配置された格好になる。他方板状部材２３の起立姿勢は、係止機構によって維持される。その係止機構として、板状部材２３における扉１から離れた側の側縁での左右の中央に、鉤状の突片部２３ｃが形成され、他方の箱体２１（中物品用ポケット２０）における扉１に近い側の側面に、板状部材２３が起立したときにその突片部２３ｃに係合する鉤状の突片部２１ｃが形成されている。つまり、板状部材２３における突片部２３ｃが係止部として機能し、箱体２１における突片部２１ｃが被係止部として機能する。
【００２１】
なお、板状部材２３の起立姿勢を維持する係止機構としては、種々の変更が可能である。本実施形態では、板状部材２３における突片部２３ｃを左右方向で丁度円形穴２３ｂが存在する位置の側縁に形成しているが、例えば、円形穴２３ｂ同士の間に突片部２３ｃ’（図４参照）を形成することも可能である。この場合、その突片部２３ｃ’の形成位置に対応して箱体２１における突片部２１ｃの形成位置の高さが低くなるため、それに合わせて箱体２１そのものの高さを予め低くすることができ、箱体２１を軽量化できる点で有効である。またこの場合、板状部材２３を起立姿勢にしたとき、板状部材２３の突片部２３ｃ’の上下方向の厚みを多くとることができ、係止のときの強度も増し、長期に繰り返し係脱動作をさせても、その突片部２３ｃ’の根元付近からの亀裂等による破損の心配も少なくなる。
【００２２】
また、扉１に設けられた中物品用ポケット２０の下方には、箱体２１の奥領域Ａ２の開口２１ａと対向する対向部材２４が、扉１の内面から左右方向に沿って突出している（図７参照）。この対向部材２４は、大物品用ポケット１０に収納されている大物品７と干渉しない程度の位置で、中物品用ポケット２０（箱体２１）の底より一段下がった位置に設けられる。なお、ここでは、対向部材２４を扉１と一体に設けているが、中物品用ポケット２０と一体に設けることも可能である。
【００２３】
ところで、このような中物品用ポケット２０は、扉１の内面に取り付けられるわけであるが、その取付けは次のようにして行われる。箱体２１（中物品用ポケット２０）の左右の側面の下隅部には、それぞれ、前後方向での中ほどよりやや扉１寄りに凹部２１ｄが形成されている（図２、図６参照）。他方、扉１の内面からは箱体２１を左右から挟み込むように上下方向に突条１ａが突出しており、その各突条１ａには、箱体２１に形成された凹部２１ｄに対応して不図示の凸部が形成されている。そして、中物品用ポケット２０は、箱体２１の奥面が扉１の内面に当接しながら、箱体２１における凹部２１ｄが扉１における突条１ａの凸部に上方より下方へ向けて嵌め込まれることにより、扉１に取り付けられる。特にここでは、中物品用ポケット２０の取付けのための凹部２１ｄが、箱体２１の左右側面の下隅部に、すなわち卵ホルダ２２や板状部材２３が嵩上げされて貯蔵物の収納には実質寄与しない部分に形成されていることから、中物品用ポケット２０内のスペースを有効に確保できる。
【００２４】
更に、その変形例として、図１２、図１３に示すように、箱体２１について、卵ホルダ２２の円形穴２２ｃ同士の間となる位置に、凹部２１ｄに対応する凸部２１ｅを設けることにより、卵ホルダ２２側への凸部２１ｅの突き出しが多く取れ、鶏卵の収納個数を減らすことなく、箱体２１（中物品用ポケット２０）の取付けがより丈夫に確実になる。このとき、卵ホルダ２２については、箱体２１の凸部２１ｅに対応する個所は強度が低下しない程度に切り欠くことになる。そして、その切欠き形状は、卵ホルダ２２の４コーナ部であれば、斜めに減らしてもよく（図１２参照）、卵ホルダ２２の円形穴２２ｃ同士の間のところであれば、略３角形にへこましてもよい（図１３参照）。その場合、略３角形の切欠き形状に対応して、箱体２１の凸部２１ｅの少なくとも一部を３角形状にしておくと、更に係りシロが増す。
【００２５】
このような構成の中物品用ポケット２０によれば、小物チューブ品２や中物チューブ品３や中物ボトル品４を収納しようとする場合、先ず、図７（ａ）に示すように、板状部材２３が水平姿勢で開口２１ａを閉じた状態から、板状部材２３を引き上げるように上方へ回動させる。その回動操作は、板状部材２３の円形穴２３ｂに指を引っ掛けて引き上げたり、板状部材２３の突片部２３ｃを摘まんで引き上げたりすることで容易に行える。
【００２６】
そのまま板状部材２３を回動させると、図７（ｂ）に示すように、板状部材２３における突片部２３ｃが箱体２１における突片部２１ｃに係合し、これにより、板状部材２３が起立姿勢で維持されつつ、開口２１ａが完全に開かれた状態なる。そして、図７（ｃ）に示すように、小物チューブ品２や中物チューブ品３や中物ボトル品４（図７では中物チューブ品３を代表的に図示）を中物品用ポケット２０の上方から開口２１ａ内に挿し込む。これにより、中物チューブ品３等は、その下端が対向部材２４で支持されながら、立てた状態で収納される。こうして、小物チューブ品２や中物チューブ品３や中物ボトル品４を効率良く整然と収納できる（図１及び図１０の右側の中物品用ポケット２０、図９及び図１１の左右の中物品用ポケット２０を参照）。
【００２７】
もっとも、板状部材２３が水平姿勢で開口２１ａを閉じた状態では、板状部材２３に形成されている複数の円形穴２３ｂに鶏卵５をそれぞれ載せて保持できる（図１及び図１０の左側の中物品用ポケット２０、図８の左右の中物品用ポケット２０を参照）。
【００２８】
その他本発明は上記の実施形態に限定されず、本発明の趣旨を逸脱しない範囲で、種々の変更が可能である。例えば、中物品用ポケット２０（箱体２１）の開口２１ａを開閉する板状部材２３の開閉機構としては、板状部材２３が水平姿勢から下方へ落ち込むように回動する機構であっても構わない。但しその場合は、板状部材２３を水平姿勢で係止させる機構が必要となる。また、板状部材２３が水平姿勢のまま奥領域Ａ２と手前領域Ａ１との間をスライドする機構であっても構わない。
【産業上の利用可能性】
【００２９】
本発明は冷蔵庫に有用である。
【図面の簡単な説明】
【００３０】
【図１】本発明の一実施形態である冷蔵庫の扉を示す斜視図である。
【図２】冷蔵庫の扉の中物品用ポケットを示す斜視図である。
【図３】図２に示す中物品用ポケットの上面図である。
【図４】図３のＡ−Ａ’断面図である。
【図５】図３のＢ−Ｂ断面図である。
【図６】卵ホルダを上下反転させた状態での中物品用ポケットを示す斜視図である。
【図７】中物チューブ品の収納手順を示す断面図である。
【図８】貯蔵物を収納した一例を示す斜視図である。
【図９】貯蔵物を収納した一例を示す斜視図である。
【図１０】貯蔵物を収納した一例を示す斜視図である。
【図１１】貯蔵物を収納した一例を示す斜視図である。
【図１２】中物品用ポケットの変形例を示す上面図である。
【図１３】中物品用ポケットの他の変形例を示す上面図である。
【図１４】従来一般の冷蔵庫の扉を示す斜視図である。
【符号の説明】
【００３１】
１    扉
１ａ    突条
２    小物チューブ品
３    中物チューブ品
４    中物ボトル品
５    鶏卵
６    缶品
７    大物品
１０    大物品用ポケット
２０    中物品用ポケット
２１    箱体
２１ａ    開口
２１ｂ    軸受凸部
２１ｃ    突片部
２１ｄ    凹部
２２    卵ホルダ
２２ａ    平板部
２２ｂ    側板部
２２ｃ    円形穴
２３    板状部材
２３ａ    軸部
２３ｂ    円形穴
２３ｃ    突片部
２４    対向部材
３０    小物品用ポケット
【図１】
2007147202.tif 000003
【図２】
2007147202.tif 000004
【図３】
2007147202.tif 000005
【図４】
2007147202.tif 000006
【図５】
2007147202.tif 000007
【図６】
2007147202.tif 000008
【図７】
2007147202.tif 000009
【図８】
2007147202.tif 000010
【図９】
2007147202.tif 000011
【図１０】
2007147202.tif 000012
【図１１】
2007147202.tif 000013
【図１２】
2007147202.tif 000014
【図１３】
2007147202.tif 000015
【図１４】
2007147202.tif 000016